(57)【特許請求の範囲】
【請求項１】
記録媒体にアクセスするアクセス装置であって、
前記記録媒体は、ユーザの指示に基づく記録及び再生が可能なユーザデータを記録するためのユーザ領域を含み、
所定のテスト条件に基づくテストデータを前記ユーザ領域に記録する記録手段と、
前記記録手段によって前記ユーザ領域に記録された前記テストデータを読み取る読み取り手段と、
前記読み取り手段によって読み取られた前記テストデータを参照することによって、前記記録媒体にアクセスするためのアクセスパラメータを調整する調整手段とを備え、
前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始することを特徴とするアクセス装置。
【請求項２】
記録媒体にアクセスするアクセス装置であって、
前記記録媒体は、ユーザの指示に基づく記録及び再生が可能なユーザデータを記録するためのユーザ領域を含み、
所定のテスト条件に基づくテストデータを前記ユーザ領域に記録する記録手段と、
前記記録手段によって前記ユーザ領域に記録された前記テストデータを読み取る読み取り手段と、
前記読み取り手段によって読み取られた前記テストデータを参照することによって、前記記録媒体にアクセスするためのアクセスパラメータを調整する調整手段とを備え、
前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始することを特徴とするアクセス装置。
【請求項３】
前記ユーザ領域における前記テストデータが記録されたテスト記録領域を登録する登録手段をさらに備えることを特徴とする請求項１又は２記載のアクセス装置。
【請求項４】
前記登録手段は、前記テスト記録領域を欠陥領域として登録することを特徴とする請求項３記載のアクセス装置。
【請求項５】
前記ユーザ領域における前記テストデータが記録されたテスト記録領域と、ユーザデータの記録終了位置から前記テストデータの記録開始位置までの領域と、前記テストデータの記録終了位置からユーザデータの記録開始位置までの領域とを欠陥領域として登録する登録手段をさらに備えることを特徴とする請求項１記載のアクセス装置。
【請求項６】
記録媒体にアクセスするためのアクセス方法であって、
前記記録媒体は、ユーザの指示に基づく記録及び再生が可能なユーザデータを記録するためのユーザ領域を含み、
所定のテスト条件に基づくテストデータを前記ユーザ領域に記録する記録ステップと、
前記記録ステップにおいて前記ユーザ領域に記録された前記テストデータを読み取る読み取りステップと、
前記読み取りステップにおいて読み取られた前記テストデータを参照することによって、前記記録媒体にアクセスするためのアクセスパラメータを調整する調整ステップとを含み、
前記記録ステップは、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始することを特徴とするアクセス方法。
【請求項７】
記録媒体にアクセスするためのアクセスプログラムであって、
前記記録媒体は、ユーザの指示に基づく記録及び再生が可能なユーザデータを記録するためのユーザ領域を含み、
データを記録媒体に記録する記録手段と、データを記録媒体から読み取る読み取り手段とを備えるアクセス装置を、
所定のテスト条件に基づくテストデータを前記ユーザ領域に記録するように前記記録手段に指示する記録指示手段と、
前記記録手段によって前記ユーザ領域に記録された前記テストデータを読み取るように前記読み取り手段に指示する読み取り指示手段と、
前記読み取り手段によって読み取られた前記テストデータを参照することによって、前記記録媒体にアクセスするためのアクセスパラメータを調整する調整手段として機能させ、
前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始することを特徴とするアクセスプログラム。
【請求項８】
データを記録媒体に記録する記録手段と、データを記録媒体から読み取る読み取り手段とを備えるアクセス装置を制御する制御装置であって、
前記記録媒体は、ユーザの指示に基づく記録及び再生が可能なユーザデータを記録するためのユーザ領域を含み、
所定のテスト条件に基づくテストデータを前記ユーザ領域に記録するように前記記録手段に指示する記録指示手段と、
前記記録手段によって前記ユーザ領域に記録された前記テストデータを読み取るように前記読み取り手段に指示する読み取り指示手段と、
前記読み取り手段によって読み取られた前記テストデータを参照することによって、前記記録媒体にアクセスするためのアクセスパラメータを調整する調整手段とを備え、
前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始することを特徴とする制御装置。
【請求項９】
記録媒体にアクセスするためのアクセス方法であって、
前記記録媒体は、ユーザの指示に基づく記録及び再生が可能なユーザデータを記録するためのユーザ領域を含み、
所定のテスト条件に基づくテストデータを前記ユーザ領域に記録する記録ステップと、
前記記録ステップにおいて前記ユーザ領域に記録された前記テストデータを読み取る読み取りステップと、
前記読み取りステップにおいて読み取られた前記テストデータを参照することによって、前記記録媒体にアクセスするためのアクセスパラメータを調整する調整ステップとを含み、
前記記録ステップは、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始することを特徴とするアクセス方法。
【請求項１０】
記録媒体にアクセスするためのアクセスプログラムであって、
前記記録媒体は、ユーザの指示に基づく記録及び再生が可能なユーザデータを記録するためのユーザ領域を含み、
データを記録媒体に記録する記録手段と、データを記録媒体から読み取る読み取り手段とを備えるアクセス装置を、
所定のテスト条件に基づくテストデータを前記ユーザ領域に記録するように前記記録手段に指示する記録指示手段と、
前記記録手段によって前記ユーザ領域に記録された前記テストデータを読み取るように前記読み取り手段に指示する読み取り指示手段と、
前記読み取り手段によって読み取られた前記テストデータを参照することによって、前記記録媒体にアクセスするためのアクセスパラメータを調整する調整手段として機能させ、
前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始することを特徴とするアクセスプログラム。
【請求項１１】
データを記録媒体に記録する記録手段と、データを記録媒体から読み取る読み取り手段とを備えるアクセス装置を制御する制御装置であって、
前記記録媒体は、ユーザの指示に基づく記録及び再生が可能なユーザデータを記録するためのユーザ領域を含み、
所定のテスト条件に基づくテストデータを前記ユーザ領域に記録するように前記記録手段に指示する記録指示手段と、
前記記録手段によって前記ユーザ領域に記録された前記テストデータを読み取るように前記読み取り手段に指示する読み取り指示手段と、
前記読み取り手段によって読み取られた前記テストデータを参照することによって、前記記録媒体にアクセスするためのアクセスパラメータを調整する調整手段とを備え、
前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始することを特徴とする制御装置。
【発明の詳細な説明】
【技術分野】
【０００１】
本発明は、ユーザがデータを記録しえるように構成されているユーザ領域を含む記録媒体にアクセスするアクセス装置、アクセス方法、アクセスプログラム及び制御装置に関するものである。
【背景技術】
【０００２】
近年、記録媒体の高密度化、大容量化が進んでおり、記録媒体の信頼性を確保することが重要になっている。記録媒体の信頼性を確保する方法としては、欠陥セクタに対する交替セクタを設けることで欠陥セクタにアクセスできなくするものがある（例えば、特許文献１参照）。また、記録媒体の信頼性を確保するために、記録再生装置によって、最適なアクセスパラメータを決定するためのテスト処理がなされ、記録媒体に対するアクセスパラメータが調整される。
【０００３】
アクセスパラメータは、例えば、記録パワーである。記録パワーは、データの記録時に記録媒体に照射するレーザのパワーである。最適な記録パワーを決定するためのテスト処理によって、記録媒体に照射する記録パワーが調整される。
【０００４】
アクセスパラメータは、リードイン領域またはリードアウト領域に対するテスト記録およびテスト再生の結果に基づいて調整される。リードイン領域は、記録媒体の内周に割り付けられている。リードアウト領域は、記録媒体の外周に割り付けられている。
【特許文献１】特開平７−１８２７９２号公報
【発明の開示】
【発明が解決しようとする課題】
【０００５】
しかし、光ヘッドがユーザ領域にアクセスすることによって、データを記録している時またはデータを再生している時に、テスト処理の必要が生じた場合には、テスト処理時間が長くなる。これは、テスト処理のために、光ヘッドをリードイン領域またはリードアウト領域にシークし、リードイン領域またはリードアウト領域に対してテスト記録およびテスト再生しなければならないからである。
【０００６】
テスト処理時間が長くなると、ＡＶデータの再生が乱れたり、録画が途切れたり、ユーザデータの記録実行時間が長くなるという課題が生じる。
【０００７】
さらに、記録媒体の高密度化に対応するため、記録再生の状況変化に最適なアクセスパラメータでデータを記録再生することが要求される。従って、記録再生の状況変化に応じてテスト処理を頻繁に行う必要が生じ、その結果、上記課題は益々顕著になってくる。
【０００８】
本発明は、上記課題を解決するためになされたものであり、テスト記録およびテスト再生のための光ヘッドのシーク時間を短縮することができるアクセス装置、アクセス方法、アクセスプログラム及び制御装置を提供することを目的とする。
【課題を解決するための手段】
【０００９】
本発明に係るアクセス装置は、記録媒体にアクセスするアクセス装置であって、前記記録媒体は、ユーザの指示に基づく記録及び再生が可能なユーザデータを記録するためのユーザ領域を含み、所定のテスト条件に基づくテストデータを前記ユーザ領域に記録する記録手段と、前記記録手段によって前記ユーザ領域に記録された前記テストデータを読み取る読み取り手段と、前記読み取り手段によって読み取られた前記テストデータを参照することによって、前記記録媒体にアクセスするためのアクセスパラメータを調整する調整手段とを備え、前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始する。
【００１０】
本発明に係るアクセス方法は、記録媒体にアクセスするためのアクセス方法であって、前記記録媒体は、ユーザの指示に基づく記録及び再生が可能なユーザデータを記録するためのユーザ領域を含み、所定のテスト条件に基づくテストデータを前記ユーザ領域に記録する記録ステップと、前記記録ステップにおいて前記ユーザ領域に記録された前記テストデータを読み取る読み取りステップと、前記読み取りステップにおいて読み取られた前記テストデータを参照することによって、前記記録媒体にアクセスするためのアクセスパラメータを調整する調整ステップとを含み、前記記録ステップは、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始する。
【００１１】
これらの構成によれば、記録媒体は、ユーザの指示に基づく記録及び再生が可能なユーザデータを記録するためのユーザ領域を含んでいる。そして、所定のテスト条件に基づくテストデータがユーザ領域に記録され、ユーザ領域に記録されたテストデータが読み取られる。続いて、読み取られたテストデータが参照されることによって、記録媒体にアクセスするためのアクセスパラメータが調整される。
【００１２】
本発明に係るアクセスプログラムは、記録媒体にアクセスするためのアクセスプログラムであって、前記記録媒体は、ユーザの指示に基づく記録及び再生が可能なユーザデータを記録するためのユーザ領域を含み、データを記録媒体に記録する記録手段と、データを記録媒体から読み取る読み取り手段とを備えるアクセス装置を、所定のテスト条件に基づくテストデータを前記ユーザ領域に記録するように前記記録手段に指示する記録指示手段と、前記記録手段によって前記ユーザ領域に記録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段として機能させ、前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始する。
【００１３】
本発明に係る制御装置は、データを記録媒体に記録する記録手段と、データを記録媒体から読み取る読み取り手段とを備えるアクセス装置を制御する制御装置であって、前記記録媒体は、ユーザの指示に基づく記録及び再生が可能なユーザデータを記録するためのユーザ領域を含み、所定のテスト条件に基づくテストデータを前記ユーザ領域に記録するように前記記録手段に指示する記録指示手段と、前記記録手段によって前記ユーザ領域に記
録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段とを備え、前記記録手段は、前記ユーザ領域におけるユーザデータの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始する。
【００１４】
これらの構成によれば、記録媒体は、ユーザの指示に基づく記録及び再生が可能なユーザデータを記録するためのユーザ領域を含んでいる。そして、所定のテスト条件に基づくテストデータをユーザ領域に記録するように記録手段に指示され、記録手段によってユーザ領域に記録されたテストデータを読み取るように読み取り手段に指示される。続いて、読み取り手段によって読み取られたテストデータが参照されることによって、記録媒体にアクセスするためのアクセスパラメータが調整される。
【００１５】
本発明に係るアクセス装置は、記録媒体にアクセスするアクセス装置であって、前記記録媒体は、ユーザの指示に基づく記録及び再生が可能なユーザデータを記録するためのユーザ領域を含み、所定のテスト条件に基づくテストデータを前記ユーザ領域に記録する記録手段と、前記記録手段によって前記ユーザ領域に記録された前記テストデータを読み取る読み取り手段と、前記読み取り手段によって読み取られた前記テストデータを参照することによって、前記記録媒体にアクセスするためのアクセスパラメータを調整する調整手段とを備え、前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始する。
【００１６】
本発明に係るアクセス方法は、記録媒体にアクセスするためのアクセス方法であって、前記記録媒体は、ユーザの指示に基づく記録及び再生が可能なユーザデータを記録するためのユーザ領域を含み、所定のテスト条件に基づくテストデータを前記ユーザ領域に記録する記録ステップと、前記記録ステップにおいて前記ユーザ領域に記録された前記テストデータを読み取る読み取りステップと、前記読み取りステップにおいて読み取られた前記テストデータを参照することによって、前記記録媒体にアクセスするためのアクセスパラメータを調整する調整ステップとを含み、前記記録ステップは、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始する。
【００１７】
本発明に係るアクセスプログラムは、記録媒体にアクセスするためのアクセスプログラムであって、前記記録媒体は、ユーザの指示に基づく記録及び再生が可能なユーザデータを記録するためのユーザ領域を含み、データを記録媒体に記録する記録手段と、データを記録媒体から読み取る読み取り手段とを備えるアクセス装置を、所定のテスト条件に基づくテストデータを前記ユーザ領域に記録するように前記記録手段に指示する記録指示手段と、前記記録手段によって前記ユーザ領域に記録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段として機能させ、前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始する。
【００１８】
本発明に係る制御装置は、データを記録媒体に記録する記録手段と、データを記録媒体から読み取る読み取り手段とを備えるアクセス装置を制御する制御装置であって、前記記録媒体は、ユーザの指示に基づく記録及び再生が可能なユーザデータを記録するためのユーザ領域を含み、所定のテスト条件に基づくテストデータを前記ユーザ領域に記録するように前記記録手段に指示する記録指示手段と、前記記録手段によって前記ユーザ領域に記録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段とを備え、前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始する。
【発明の効果】
【００１９】
本発明によれば、ユーザ領域よりも内周に割り付けられているリードイン領域又はユーザ領域よりも外周に割り付けられているリードアウト領域にテストデータを記録して再生することなくアクセスパラメータを調整することができ、テストデータの記録及び再生のための光ヘッドのシーク時間を短縮することができる。
【００２０】
また、記録媒体は、半径位置により記録特性が異なる場合がある。その原因としては、記録膜の特性のばらつき及びディスクのチルト等が考えられる。そのため、ディスクの最内周又は最外周のテスト領域において、テスト記録及びテスト再生を実行してアクセスパラメータを決定するよりも、記録するユーザ領域に近い領域でテスト記録及びテスト再生してアクセスパラメータを決定する方がより適切なアクセスパラメータを決定することができ、記録品質を向上させることができる。
【００２１】
本発明の目的、特徴及び利点は、以下の詳細な説明と添付図面とによって、より明白となる。
【発明を実施するための最良の形態】
【００２２】
以下、本発明の実施の形態について図を参照して説明する。
【００２３】
１．記録媒体
図１は、本発明の実施の形態で用いられる記録媒体２００の構造を示す。記録媒体２００は、記録層を含む。記録層に記録マークを形成することによって、記録媒体２００にデータが記録される。記録媒体２００には、トラックが同心円状に形成されている。
【００２４】
記録媒体２００は、リードイン領域２１０と、ユーザ領域２２０と、リードアウト領域２３０とを含む。
【００２５】
ユーザ領域２２０は、ユーザがデータを記録しえるように構成されている。ユーザ領域２２０には、例えば、ユーザの指示に基づく記録及び再生が可能なユーザデータが記録される。ユーザデータには、例えば、オーディオデータおよびビジュアルデータが含まれる。
【００２６】
ユーザ領域２２０は、複数のユーザデータを含む。図１の例では、ユーザ領域２２０は、第１ユーザデータ２２１と第２ユーザデータ２２４と第３ユーザデータ２２６とを含んでいる。
【００２７】
第１ユーザデータ２２１は、欠陥セクタ２２２と交替セクタ２２３とを含む。なお、欠陥セクタ２２２および交替セクタ２２３のそれぞれは、少なくとも１つのセクタを含む。
欠陥セクタ２２２は、記録媒体２００の表面に付着した汚れや傷に起因して、データの記録再生を正常に実行し得なくなったセクタである。交替セクタ２２３は、欠陥セクタ２２２に記録されるべきデータを記録するためのセクタである。
【００２８】
なお、欠陥セクタ２２２は、データの記録再生を正常に実行し得なくなったセクタであることに限定されない。欠陥セクタ２２２は、データの記録再生を正常に実行し得なくなったとみなされたセクタであり得る。この場合にも、交替セクタ２２３には、欠陥セクタ２２２に記録されるべきデータが記録される。
【００２９】
リードイン領域２１０およびリードアウト領域２３０は、ユーザ領域２２０とは異なり、ユーザがデータを記録しえるようには構成されていない。リードイン領域２１０およびリードアウト領域２３０には、記録媒体２００にアクセスする装置にとって必要であるユーザ領域２２０の管理情報やユーザ領域２２０の欠陥管理のためのデータが記録される。
【００３０】
リードイン領域２１０は、ＰＩＣ（Ｐｅｒｍａｎｅｎｔ  Ｉｎｆｏｒｍａｔｉｏｎ  ａｎｄ  Ｃｏｎｔｒｏｌ  ｄａｔａ）領域２１２とＯＰＣ（Ｏｐｔｉｍｕｍ  Ｐｏｗｅｒ  Ｃａｌｉｂｒａｔｉｏｎ）領域２１４とＤｒｉｖｅ領域２１６とＤＭＡ（Ｄｅｆｅｃｔ  Ｍａｎａｇｅｍｅｎｔ  Ａｒｅａ）領域２４０とを含む。
【００３１】
ＰＩＣ領域２１２には、例えば、ユーザ領域２２０の最大アドレスおよびアクセスパラメータが記録されている。アクセスパラメータは、例えば、記録媒体２００に複数の記録マークを形成及び消去するためのレーザパワーに関するパラメータ、および複数の記録マークを記録するための記録パルス幅に関するパラメータである。
【００３２】
ＯＰＣ領域２１４は、テストデータを記録または再生するための領域である。テストデータの記録または再生は、記録媒体２００にアクセスするアクセス装置がアクセスパラメータの調整（例えば、記録パワーやパルス幅等の調整）のために行う。
【００３３】
ＤＭＡ領域２４０には、欠陥領域（例えば、欠陥セクタ２２２）の位置情報と欠陥領域の交替領域（例えば、交替セクタ２２３）の位置情報とを示すリストが格納されている。例えば、ＤＭＡ領域２４０には、欠陥セクタアドレス２４２，２４４と、交替セクタアドレス２４６，２４８とが記録されている。例えば、欠陥セクタアドレス２４２は、欠陥セクタ２２２の位置を示す。例えば、交替セクタアドレス２４６は、交替セクタ２２３の位置を示す。
【００３４】
以上、図１を参照して本発明の実施の形態で用いられる記録媒体２００の一例を説明した。例えば、図１に示される例では、ユーザ領域２２０が「ユーザの指示に基づく記録及び再生が可能なユーザデータを記録するためのユーザ領域」に対応する。しかし、本発明の実施の形態で用いられる記録媒体２００が図１に示される例に限定されるわけではない。記録媒体が、ユーザの指示に基づく記録及び再生が可能なユーザデータを記録するためのユーザ領域を含む限りは、任意の構造を有しえる。
【００３５】
例えば、記録媒体２００には、トラックが同心円状に形成されているが、記録媒体２００がユーザ領域２２０を含む限りは、形成されるトラックの形状は同心円状に限定されない。記録媒体２００には、トラックがスパイラル状に形成されていてもよい。
【００３６】
さらに、記録媒体２００には、ＯＰＣ領域２１４が含まれているが、記録媒体２００がユーザ領域２２０を含む限りは、記録媒体２００には、ＯＰＣ領域２１４が含まれていなくてもよい。
【００３７】
さらに、記録媒体２００は、書き換え型記録媒体または追記型記録媒体である。書き換え型記録媒体は、例えば、ＣＤ−ＲＷ、ＤＶＤ−ＲＷ（Ｄｉｇｉｔａｌ  Ｖｅｒｓａｔｉｌｅ  Ｄｉｓｃ  Ｒｅｗｒｉｔａｂｌｅ）およびＢＤＲＥ（Ｂｌｕ−ｒａｙ  Ｄｉｓｃ  Ｒｅｗｒｉｔａｂｌｅ  Ｆｏｒｍａｔ）等である。追記型記録媒体は、例えば、ＣＤ−Ｒ、ＤＶＤ−ＲおよびＢＤ−Ｒ等である。
【００３８】
さらに、記録媒体２００は、例えば、光ディスクであるが、記録媒体２００がユーザ領域２２０を含む限りは、記録媒体２００が光ディスクであることに限定されない。例えば、記録媒体２００は、ユーザ領域２２０を含む磁気ディスクであってもよい。
【００３９】
２．アクセス装置
図２は、本発明の実施の形態のアクセス装置１００の構成を示す図である。アクセス装置１００は、図１に示す記録媒体２００が装着され得るように構成されている。
【００４０】
アクセス装置１００は、アクセス装置１００に含まれる各構成要素の動作を制御するシステム制御回路１０２と、光ヘッド１０６と、記録媒体２００を回転させるスピンドルモータ１０７と、欠陥領域登録回路１１５と、トリガー検出回路１１６と、格納部１１７と、記録系回路部１２０と、再生系回路部１３０とを備える。
【００４１】
光ヘッド１０６は、記録媒体２００に記録されたデータを読み取る。具体的には、光ヘッド１０６は、半導体レーザの光を集光し、集光した光を記録媒体２００に照射する。そして、光ヘッド１０６は、記録媒体２００で反射した光を検出することによって、記録媒体２００に記録されたデータを読み取る。また、光ヘッド１０６は、記録媒体２００にデータを記録する。具体的には、光ヘッド１０６は、半導体レーザの光を集光し、集光した光を記録媒体２００に照射することによって、記録媒体２００にデータを記録する。
【００４２】
欠陥領域登録回路１１５は、システム制御回路１０２の指示に従って、ユーザ領域２２０に含まれる欠陥セクタアドレス２４２をＤＭＡ領域２４０に登録する。欠陥領域登録回路１１５は、さらに、システム制御回路１０２の指示に従って、欠陥セクタ２２２に記録されるべきデータを記録するための交替セクタ２２３を第１ユーザデータ２２１に割り付け、交替セクタアドレス２４６をＤＭＡ領域２４０に登録する。例えば、アクセス装置１００の起動時に、アクセス装置１００は、ＤＭＡ領域２４０に登録された記録媒体２００のＤＭＡ領域２４０に登録されている欠陥セクタアドレスと交替セクタアドレスとを読み取り、欠陥セクタ２２２の位置と交替セクタ２２３の位置とを認識する。
【００４３】
トリガー検出回路１１６は、アクセスパラメータの調整を開始するためのトリガーを検出する。トリガー検出回路１１６の詳細な説明は、後述される。
【００４４】
格納部１１７は、ユーザ領域２２０に記録するデータを格納する。データは、システム制御回路１０２の指示に従って、ユーザ領域２２０に記録される。格納部１１７に格納されるデータは、例えば、コンテンツの内容を示すユーザデータである。ユーザデータは、例えば、オーディオデータおよびビジュアルデータのうちの少なくとも一方である。なお、格納部１１７に格納されるデータは、ユーザデータに限定されない。ユーザ領域２２０に記録されえる限りは、特定のパターン記録マークに対応するマークデータであってもよい。例えば、最短記録マークに対応するマークデータ（２Ｔ記録マークに対応する２Ｔマークデータ）および最長記録マークに対応するマークデータ（９Ｔ記録マークに対応する９Ｔマークデータ）のうちの少なくとも一方であってもよい。
【００４５】
記録系回路部１２０は、読み取られた信号を参照することによって、記録媒体２００に記録するための記録パラメータを調整する。記録系回路部１２０は、トリガーの検出に応
答したシステム制御回路１０２の指示に従って、ユーザ領域２２０に、格納部１１７に格納されたデータを記録する。
【００４６】
記録系回路部１２０は、変調回路１０３と、記録パルス列生成回路１０４と、記録パワー制御回路１０５と、回転速度設定回路１０８とを含む。
【００４７】
変調回路１０３は、記録媒体２００に記録するデータを２値化された記録変調符号に変換する。記録パルス列生成回路１０４は、記録変調符号に基づいて記録パルス列を示すデータを生成する。記録パワー制御回路１０５は、生成されたデータに基づいて、半導体レーザの電流を調整する。回転速度設定回路１０８は、スピンドルモータ１０７の回転数を制御することによって、記録媒体２００の回転速度を設定する。
【００４８】
再生系回路部１３０は、読み取られた信号を参照することによって、記録媒体２００に記録されたデータを再生するための再生パラメータを調整する。再生系回路部１３０は、トリガーの検出に応答して、ユーザ領域２２０に記録されたデータをテスト再生する。
【００４９】
再生系回路部１３０は、読み取り信号処理回路１０９と、復調回路１１０と、検出回路部１４０とを含む。
【００５０】
読み取り信号処理回路１０９は、光ヘッド１０６によって読み取られた信号（ユーザ領域のうちの一部の領域に記録された信号）を処理する。読み取られた信号の処理は、読み取り信号のデジタル化および２値化のための処理並びに読み取り信号の同期クロックを得るための処理を含む。復調回路１１０は、デジタル化された読み取り信号を復号し、復号化された読み取り信号を生成する。
【００５１】
検出回路部１４０は、読み取り信号または復号化された読み取り信号に基づいて、ユーザ領域２２０に記録されたデータの記録状態を検出し、記録されたデータの記録状態が良いか否かを判定する。検出回路部１４０は、アシンメトリ検出回路１１１と、ジッタ検出回路１１２と、Ｍ指標検出回路１１３と、ビットエラーレート（ＢＥＲ）検出回路１１４と、変調度検出回路１１８とを含む。
【００５２】
アシンメトリ検出回路１１１は、読み取り信号のアシンメトリ値を検出する。ジッタ検出回路１１２は、読み取り信号のジッタ値を検出する。Ｍ指標検出回路１１３は、復号化された読み取り信号のＭ指標を検出する。ＢＥＲ検出回路１１４は、復号化された読み取り信号のビットエラーレートを検出する。変調度検出回路１１８は、読み取り信号の変調度を検出する。アシンメトリ値、ジッタ値、Ｍ指標、ビットエラーレートおよび変調度は、ユーザ領域２２０に記録されたデータの記録状態を表す。
【００５３】
なお、検出回路部１４０は、記録されたデータの記録状態を検出しえる限りは、アシンメトリ検出回路１１１と、ジッタ検出回路１１２と、Ｍ指標検出回路１１３と、ビットエラーレート（ＢＥＲ）検出回路１１４と変調度検出回路１１８とを含むことに限定されない。例えば、検出回路部１４０は、アシンメトリ検出回路１１１、ジッタ検出回路１１２、Ｍ指標検出回路１１３、ＢＥＲ検出回路１１４および変調度検出回路１１８のうちの少なくとも１つを含む。例えば、検出回路部１４０は、アシンメトリ検出回路１１１、ジッタ検出回路１１２、Ｍ指標検出回路１１３、ＢＥＲ検出回路１１４および変調度検出回路１１８以外の検出回路を含むことがありえる。
【００５４】
図１および図２を参照して説明したように、本発明のアクセス装置によれば、ユーザ領域２２０に記録されたデータ（例えば、コンテンツを示すデータ、特定のパターンの記録マークによって表されるデータ）を参照することによって、アクセスパラメータを調整する。従って、ユーザ領域よりも内周に割り付けられているリードイン領域またはユーザ領域よりも外周に割り付けられているリードアウト領域に記録されたデータを参照することなく、アクセスパラメータを調整することができる。その結果、参照されるデータが記録された領域にアクセスする時間が短縮され、テスト記録およびテスト再生に要する時間を短縮することができる。
【００５５】
以上、図１および図２を参照して本発明の実施の形態のアクセス装置の一例を説明した。例えば、図２に示される例では、システム制御回路１０２および記録系回路部１２０が記録手段に対応し、システム制御回路１０２および再生系回路部１３０が読み取り手段に対応し、システム制御回路１０２が調整手段に対応する。しかし、本発明のアクセス装置１００が図２に示される例に限定されるわけではない。アクセス装置に備えられた複数の構成要素が上述した機能を有する限りは、任意の構成を有しえる。
【００５６】
例えば、アクセスパラメータは、テスト記録およびテスト再生によって検出可能である。テスト記録およびテスト再生によって検出可能なアクセスパラメータには、記録パワーおよびパルス幅が含まれる。
【００５７】
例えば、アクセスパラメータは、テスト再生のみで検出可能である。テスト再生のみで検出可能なアクセスパラメータには、サーボパラメータ（例えば、フォーカスバランス、球面収差、記録媒体のチルト）が含まれる。さらに、必要に応じて、記録パワーおよびパルス幅をもテスト再生のみで検出可能である。
【００５８】
例えば、システム制御回路１０２、記録系回路部１２０および再生系回路部１３０のうちの少なくとも１つが、１チップ化されたＬＳＩに含まれ得る。システム制御回路１０２、記録系回路部１２０および再生系回路部１３０のうちの少なくとも１つをＬＳＩに含めることによって、アクセス装置１００の製造工程を容易にすることができる。このＬＳＩは、本発明の制御装置として機能する。
【００５９】
さらに、アクセス装置１００は、通信手段を備えてもよい。通信手段はホストＰＣ（パーソナルコンピュータ）に接続される。アクセス装置１００は、通信手段を介して、ホストＰＣとデータの送受信やコマンドの受信を行ってもよい。コマンドは、例えば、Ｗｒｉｔｅコマンドである。
【００６０】
さらに、記録パワーを最適な値に調整するために、システム制御回路１０２がアシンメトリ検出回路１１１を操作し、記録再生信号のジッタ値が最小近傍になるように、システム制御回路１０２がジッタ検出回路１１２を操作する。しかし、システム制御回路１０２が操作する検出回路は、アシンメトリ検出回路１１１およびジッタ検出回路１１２のうちの少なくとも一方に限らない。システム制御回路１０２が操作する検出回路は、Ｍ指標検出回路１１３、ＢＥＲ検出回路１１４および変調度検出回路１１８のうちの少なくとも一つであってもよい。例えば、記録パワーを最適な値に調整するために、システム制御回路１０２がＭ指標検出回路１１３を操作し、システム制御回路１０２がＢＥＲ検出回路１１４を操作し、またはシステム制御回路１０２が変調度検出回路１１８を操作する。
【００６１】
なお、Ｍ指標は、ＰＲＭＬ（Ｐａｒｔｉａｌ  Ｒｅｓｐｏｎｓｅ  Ｍａｘｉｍｕｍ  Ｌｉｋｅｌｉｈｏｏｄ）方式の最尤復号結果の信頼性を示す。ＰＲＭＬ方式の最尤復号結果の信頼性を示す指標の詳細は、本願の発明者と一部同一の発明者および本願の出願人と同一の出願人によって出願された特開２００３−１４１８２３号公報で説明されている。特開２００３−１４１８２３号公報では、ＰＲＭＬ期待値誤差に基づく信号評価指標を参照することによって、レーザ光のパワーを制御、決定する方法が提案されている。ＰＲＭＬ方式は、ＰＲという波形等化方式と、ＭＬという最尤復号方式の組み合わせからなる。
【００６２】
３．アクセス方法
図３は、本発明の参考例のアクセス処理手順を示すフローチャートである。以下、図１、図２および図３を参照して本発明の参考例のアクセス処理手順をステップごとに説明する。
【００６３】
ステップ４０２：アクセス装置１００が、ユーザの操作によって起動される。記録媒体２００のＤＭＡ領域２４０に登録されている欠陥セクタアドレス２４２と交替セクタアドレス２４６とが読み取られ、欠陥セクタ２２２の位置と交替セクタ２２３の位置とが認識される。
【００６４】
ステップ４０４：システム制御回路１０２は、記録媒体２００のユーザ領域２２０にユーザデータを記録するように記録系回路部１２０を制御する。
【００６５】
ステップ４０６：トリガー検出回路１１６は、記録パワーの調整を開始するためのトリガーを検出する。具体的には、トリガー検出回路１１６は、アクセス装置１００の温度変化に基づいて、トリガーを検出する。トリガー検出回路１１６は、アクセス装置１００の温度を計測し得る温度計を含む。トリガー検出回路１１６は、アクセス装置１００の起動時の温度を記憶している。トリガー検出回路１１６は、所定のタイミングでアクセス装置１００の温度を計測し、計測した温度と起動時の温度との変化量が所定の値を超えたことを検出する。なお、ここでの温度変化量は、例えば、４，８，１６度である。トリガー検出後、処理は、ステップ４０８に進む。
【００６６】
ステップ４０８：システム制御回路１０２は、トリガー検出回路１１６のトリガーの検出に基づいて、記録パワーを調整する。すなわち、システム制御回路１０２は、トリガー検出回路１１６によってトリガーが検出された場合、ユーザデータをテストデータとして記録媒体２００に記録するよう記録系回路部１２０に指示する。
【００６７】
記録系回路部１２０は、システム制御回路１０２の指示に従って、格納部１１７に格納されているユーザデータをユーザ領域２２０にテスト記録する。ユーザデータがテスト記録された位置は、トリガー検出時に記録されたユーザデータの記録位置に隣接する。
【００６８】
次に、システム制御回路１０２は、記録系回路部１２０によるテスト記録が終了した場合、テスト記録されたユーザデータを記録媒体２００から再生するよう再生系回路部１３０に指示する。再生系回路部１３０は、システム制御回路１０２の指示に従って、テスト記録されたユーザデータをテスト再生する。システム制御回路１０２は、格納部１１７に格納されているユーザデータと、テスト記録された位置から読み取られたユーザデータとを参照することによって、記録パワーを調整する。なお、記録パワーの調整に関する詳細は後述される。
【００６９】
ステップ４１０：システム制御回路１０２は、調整された記録パワーに基づいて、ユーザデータの記録を続ける。このとき、ユーザデータは、テスト記録された位置に隣接する位置から記録される。このように、テスト記録された位置から離れることなく、テスト記録された位置に続けてユーザデータが記録されるため、ユーザ領域２２０を有効に利用できる。
【００７０】
ステップ４１２：ユーザデータがテスト記録されたテスト記録領域は欠陥領域であるとみなされ、テスト記録領域の位置が、欠陥領域登録回路１１５によってＤＭＡ領域２４０に登録される。なお、欠陥登録のタイミングは、アクセス装置１００が電源ＯＦＦ指示を受信した時である。すなわち、システム制御回路１０２は、電源ＯＦＦ指示を受信したか
否かを判断する。ここで、電源ＯＦＦ指示を受信していない場合、ＲＡＭにテスト記録領域のアドレスを記憶し、ステップＳ４０４の処理へ戻る。
【００７１】
電源ＯＦＦ指示を受信した場合、欠陥領域登録回路１１５は、ＲＡＭに記憶されているテスト記録領域のアドレスを読み出し、記録媒体２００のＤＭＡ領域２４０に記録する。このように、テスト記録する度にＤＭＡ領域２４０に欠陥領域の登録をすることなく、欠陥領域の登録のタイミングをアクセス装置１００の電源ＯＦＦ時に限定しているので、光ヘッド１０６のシーク回数を減少し得る。欠陥領域が登録された後、処理は終了する。
【００７２】
本発明の参考例のアクセス処理によれば、記録パワーの調整を開始するためのトリガーを検出する（ステップ４０６参照）。従って、データの記録再生の状況変化を検出することが可能になり、記録パワーを調整するタイミングを検出できる。
【００７３】
さらに、本発明の参考例のアクセス処理によれば、ユーザデータがテスト記録された位置は、トリガー検出時に記録されたユーザデータの記録位置に隣接している（ステップ４０８参照）。従って、現在ユーザデータを記録している領域から遠いリードイン領域またはリードアウト領域にテスト記録する従来の技術と比較して、光ヘッドのシーク時間を短縮することができる。記録媒体２００が、例えば、ＤＶＤ−Ｒである場合には、既にユーザデータが記録された記録済み領域に隣接する未記録領域に、テストデータをテスト記録することができる。従って、光ヘッドのシーク時間の短縮が可能になる。また、記録媒体２００が、例えば、ＤＶＤ−ＲＷである場合には、現在ユーザデータを記録している領域に隣接する領域（記録済み領域か未記録領域を問わない）に、テストデータをテスト記録することができる。従って、光ヘッドのシーク時間の短縮が可能になる。
【００７４】
さらに、本発明の参考例のアクセス処理によれば、ユーザデータがテスト記録された位置は、トリガー検出時に記録されたユーザデータの記録位置に隣接している（ステップ４０８参照）。このように、現在ユーザデータを記録している領域に近い領域でテストデータを記録することにより、記録媒体の特性がほぼ同じである領域でテスト記録することができ、より適切に記録パワーを調整でき、記録品質を向上させることができる。
【００７５】
さらに、本発明の参考例のアクセス処理によれば、ユーザデータがテスト記録されたテスト記録領域は欠陥領域であるとみなされ、テスト記録領域の位置が、欠陥領域登録回路１１５によってＤＭＡ領域２４０に登録される（ステップ４１２参照）。したがって、テスト記録に起因してテスト記録領域に欠陥が生じた場合でも、登録後、この領域へのアクセスを防止できる。
【００７６】
次に、図３のステップＳ４０８における記録パワーの調整について説明する。図４は、本発明の参考例の記録パワーの調整手順を示すフローチャートである。以下、図４を参照して、本発明の参考例の記録パワーの調整手順をステップごとに説明する。
【００７７】
ステップ５０１：システム制御回路１０２は、テスト記録領域を選択する。テスト記録領域は、トリガー検出時に記録されたユーザデータの記録位置に隣接する。
【００７８】
ステップ５０２：システム制御回路１０２は、テスト記録のための記録パワーを設定する。
【００７９】
ステップ５０３：システム制御回路１０２は、テスト記録領域にテストデータを記録するよう記録系回路部１２０に指示する。記録系回路部１２０は、テスト記録領域にテストデータを記録する。例えば、複数の記録パワーを設定した時には、テスト記録領域を複数の領域に分割して、それぞれの領域に対して異なった記録パワーでテストデータを記録す
る。なお、テストデータは、格納部１１７に記憶されているユーザデータが用いられる。
【００８０】
ステップ５０４：システム制御回路１０２は、テスト記録領域に記録されたテストデータを再生するよう再生系回路部１３０に指示する。再生系回路部１３０は、システム制御回路１０２の指示に従って、テスト記録されたユーザデータ（テストデータ）をテスト再生する。このとき、変調度検出回路１１８は、再生信号の変調度を測定する。変調度は、再生信号の振幅を示す値である。
【００８１】
ステップ５０５：システム制御回路１０２は、変調度検出回路１１８によって測定された変調度に基づいて、最適な記録パワーを算出する。
【００８２】
ステップ５０６：システム制御回路１０２は、算出された記録パワーを設定する。そして、システム制御回路１０２は、テスト記録領域にテストデータを記録するよう記録系回路部１２０に指示する。記録系回路部１２０は、設定された記録パワーでテスト記録領域にテストデータを記録する。
【００８３】
ステップ５０７：システム制御回路１０２は、テスト記録領域に記録されたテストデータを再生するよう再生系回路部１３０に指示する。再生系回路部１３０は、システム制御回路１０２の指示に従って、テスト記録されたユーザデータ（テストデータ）をテスト再生する。このとき、ＢＥＲ検出回路１１４は、テスト記録された領域のエラーレートを測定する。
【００８４】
ステップ５０８：システム制御回路１０２は、ＢＥＲ検出回路１１４によって測定されたエラーレートが規定範囲内であるか否かを判定する。
【００８５】
エラーレートが規定範囲内であると判定された場合（ステップＳ５０８でＹＥＳ）、処理は、ステップ５０９に進む。エラーレートが規定範囲内でないと判定された場合（ステップＳ５０８でＮＯ）、処理は、ステップ５０２に戻り、ステップ５０２〜ステップ５０８の動作が繰り返し実行される。
【００８６】
ステップ５０９：システム制御回路１０２は、調整後の記録パワーを設定する。調整後の記録パワーが設定された後、処理は終了する。
【００８７】
以上、図１、図２、図３および図４を参照して、本発明の参考例に係るアクセス処理手順を説明した。
【００８８】
例えば、図４を参照して説明した例では、ステップ５０２及びステップ５０３が記録ステップに対応し、ステップ５０４が読み取りステップに対応し、ステップ５０５およびステップ５０９が調整ステップに対応する。しかし、本発明のアクセス処理手順が図３に示される手順に限定されるわけではない。上述した各手順が実行される限りは、任意の手順を有する方法が本発明の範囲内に含まれ得る。
【００８９】
例えば、ステップ５０６〜ステップ５０８を実行する必要はない。直接ユーザ領域にユーザデータを記録し、アシンメトリ値、ジッタ値、Ｍ指標、ビットエラーレートおよび変調度のうちの少なくとも１つを測定してもよい。さらに、調整後のアクセスパラメータが、調整前のアクセスパラメータから所望の範囲内である場合には、アクセスパラメータとして、調整後のアクセスパラメータを採用してもよい。さらに、ユーザ領域が欠陥領域である場合、またはサーボ等が飛んで読み取られた信号の精度に疑問がある場合には、読み取られた信号を採用しないことがありえる。
【００９０】
例えば、トリガーの検出（ステップ４０６参照）は、ユーザデータの記録中に限らない。ユーザデータの再生中であってもよい。さらに、再生後、トリガー検出回路１１６は、Ｗｒｉｔｅコマンドの発行に基づいて、トリガーを検出してもよい。
【００９１】
本発明の参考例のアクセス処理によれば、アクセス装置の温度変化に基づいて、トリガーを検出するが、トリガー検出回路１１６がアクセスパラメータの調整のタイミングを検出しえる限りは、これに限定されない。例えば、トリガー検出回路１１６は、データの記録位置に基づいて、トリガーを検出してもよい。また、トリガー検出回路１１６は、ホストＰＣのＷｒｉｔｅコマンドの発行のタイミングに基づいて、トリガーを検出してもよい。さらに、トリガー検出回路１１６は、アクセス装置１００の動作時間に基づいて、トリガーを検出してもよい。なお、ここでの動作時間は、例えば、１０〜１５分である。トリガー検出回路１１６は、予め決められている動作時間毎にトリガーを検出する。
【００９２】
また、トリガー検出回路１１６は、例えば記録媒体２００の表面に傷や指紋等が存在することにより、記録媒体２００のトラックの連続性が無くなった場合、トリガーを検出してもよい。この場合、システム制御回路１０２は、ユーザデータの記録終了位置から数トラック分だけ外周側に離れた位置まで、光ヘッド１０６をスキップさせる。そして、記録系回路部１２０は、アクセスパラメータの調整のためのテスト記録領域においてテストデータの記録を行う。記録系回路部１２０は、テストデータの記録終了位置から引き続きユーザデータを記録する。欠陥領域登録回路１１５は、ユーザデータの記録終了位置からテストデータの記録終了位置までを欠陥領域として登録する。なお、このとき、記録系回路部１２０は、テストデータの記録終了位置から数トラック分だけ外周側に離れた位置から引き続きユーザデータを記録してもよい。
【００９３】
さらに、アクセスパラメータの調整は、記録パワーの調整に限定されない。アクセスパラメータの調整は、特定パターンの記録マークの調整であってもよい。また、アクセスパラメータの調整は、光ビームスポットの収束状態を示すフォーカスバランスの調整であってもよい。
【００９４】
さらに、欠陥領域の登録のタイミングは、アクセス装置１００が電源ＯＦＦ指示を受信した時に限定されない。アクセス装置１００がＳＬＥＥＰ状態になるときであってもよく、アクセス装置１００が書き込み（ＷＲＩＴＥ）を実行し終えた時であってもよい。このように、欠陥領域の登録のタイミングを限定することで、光ヘッドのシーク回数を減少させることができる。
【００９５】
さらに、ユーザ領域にテスト記録するデータはユーザデータに限定されない。例えば、特定のパターン記録マークに対応するマークデータでもよい。特定のパターン記録マークは、最短記録マークである２Ｔ記録マーク、最長記録マークである９Ｔ記録マークおよび３Ｔ記録マークから８Ｔ記録マークのうちの少なくとも１つを含む。また、特定のパターン記録マークは、例えば、８Ｔ記録マークとスペースとの繰り返し単一パターンでもよい。なお、ユーザ領域に特定のパターン記録マークを記録した後、その領域に、ユーザデータを上書きする。その後、その領域を欠陥領域として登録することがあり得る。
【００９６】
さらに、システム制御回路１０２は、調整によって最適化されたアクセスパラメータを表すテーブルを作成してもよい。アクセス装置１００を終了する前に、システム制御回路
１０２は、テーブルを作成し、作成したテーブルをアクセス装置１００の格納部１１７に格納する。この場合、アクセス装置１００を再起動した時、システム制御回路１０２は、改めてアクセスパラメータを調整する必要がなくなる。システム制御回路１０２は、アクセス装置１００の格納部１１７に格納されたテーブルを参照するだけで、最適なアクセスパラメータを得ることができる。
【００９７】
さらに、記録パワー調整後に続けて行われるユーザデータの記録位置は、テスト記録位置に隣接することに限定されない。記録パワーを変化させるテスト記録は、サーボが不安定になりユーザデータ領域が破壊されている恐れがある。そこで、ユーザデータの記録位置は、テスト記録位置から離れてもよい。例えば、ユーザデータの記録は、テスト記録位置から数トラック分だけ離れた個所で行う。
【００９８】
さらに、テスト記録位置は、トリガー検出時に記録されたユーザデータの記録位置に隣接することに限定されない。テスト記録位置は、トリガー検出時に記録されたユーザデータの記録位置から所定の領域だけ離れてもよい。従って、テスト記録時に記録パワーの変化に起因してサーボ機構に不具合が生じ、テストデータの記録位置がずれたとしても、トリガー検出時に記録されたユーザデータが破壊されることを防ぐことができる。
【００９９】
例えば、記録媒体２００がＤＶＤ−Ｒである場合、テストデータの記録は、トリガー検出時に記録されたユーザデータの記録位置から数トラック分だけ外周側に離れた位置で行う。これは、追記型記録媒体へのユーザデータの記録が記録媒体の内周から外周に向かって行われるためである。例えば、記録媒体２００がＤＶＤ−ＲＷである場合、テストデータの記録は、上書き領域か、欠陥登録領域かを判断しつつ、記録している領域の近傍であり、かつサーボ機構に不具合が生じてもユーザデータを破壊しない程度の範囲のトラック分だけ離れて行う。
【０１００】
図５は、アクセス順序の種々の例を示す模式図である。以下、図５を参照して、テスト記録位置が、トリガー検出時に記録されたユーザデータの記録位置から所定の距離だけ離れている例を説明する。図５（ａ）は、アクセス順序の一例を示す模式図である。
【０１０１】
アクセス装置１００は、所定の方向に沿って記録媒体２００にアクセスする。ここで、所定の方向とは、記録媒体２００の内周側から外周側へ向かう方向であり、光ヘッド１０６が移動する方向である。
【０１０２】
アクセス装置１００の記録系回路部１２０は、記録媒体２００にユーザデータを記録する（矢印（１））。そして、トリガー検出回路１１６は、点Ａにおいてトリガーを検出する。トリガー検出後、システム制御回路１０２は、点Ａから数トラック分だけ外周位置にある点Ｂまで、光ヘッド１０６をスキップさせる（矢印（２））。次に、記録系回路部１２０は、アクセスパラメータの調整のためのテスト記録領域（点Ｂから点Ｃまでの領域）においてテストデータの記録を行う（矢印（３））。テスト記録終了後、システム制御回路１０２は、点Ｃから数トラック分だけ外周位置にある点Ｄまで、光ヘッド１０６をスキップさせる（矢印（４））。そして、記録系回路部１２０は、引き続きユーザデータを記録する（矢印（５））。なお、欠陥領域登録回路１１５は、欠陥領域として、点Ａから点Ｄまでの領域を欠陥登録する。
【０１０３】
図５（ｂ）は、アクセス順序の他の一例を示す模式図である。アクセス装置１００は、所定の方向に沿って記録媒体２００にアクセスする。記録媒体２００は、例えば、ＤＶＤ−Ｒ又はＤＶＤ−ＲＷである。
【０１０４】
アクセス装置１００の記録系回路部１２０は、記録媒体２００にユーザデータを記録す
る（矢印（１））。そして、トリガー検出回路１１６は、点Ａにおいてトリガーを検出する。トリガー検出後、システム制御回路１０２は、点Ａから数トラック分だけ外周位置にある点Ｂまで、光ヘッド１０６をスキップさせる（矢印（２））。次に、記録系回路部１２０は、アクセスパラメータの調整のためのテスト記録領域（点Ｂから点Ｃまでの領域）においてテストデータの記録を行う（矢印（３））。テスト記録終了後、システム制御回路１０２は、点Ｃから点Ａまで光ヘッド１０６をスキップさせる（矢印（４））。記録系回路部１２０は、点Ａから点Ｂまで引き続きユーザデータを記録する（矢印（５））。システム制御回路１０２は、点Ｂから点Ｃまで光ヘッド１０６をスキップさせる（矢印（６））。そして、記録系回路部１２０は、点Ｃから引き続きユーザデータを記録する（矢印（７））。なお、欠陥領域登録回路１１５は、欠陥領域として、点Ｂから点Ｃまでの領域を欠陥登録するため、システム制御回路１０２は、点Ｂから点Ｃまでを欠陥領域であるとして認識する。
【０１０５】
図５（ｃ）は、アクセス順序の参考例を示す模式図である。本発明の参考例において、アクセス装置１００は、所定の方向に沿って記録媒体２００にアクセスする。記録媒体２００は、例えば、ＤＶＤ−ＲＷである。
【０１０６】
本発明の参考例において、アクセス装置１００の記録系回路部１２０は、記録媒体２００にユーザデータを記録する（矢印（１））。そして、トリガー検出回路１１６は、点Ａにおいてトリガーを検出する。トリガー検出後、システム制御回路１０２は、点Ａから数トラック分だけ外周位置にある点Ｂまで、光ヘッド１０６をスキップさせる（矢印（２））。次に、記録系回路部１２０は、アクセスパラメータの調整のためのテスト記録領域（点Ｂから点Ｃまでの領域）においてテストデータの記録を行う（矢印（３））。テスト記録終了後、システム制御回路１０２は、点Ｃから点Ａまで、光ヘッド１０６をスキップさせる（矢印（４））。記録系回路部１２０は、点Ａから引き続きユーザデータを記録し続ける（矢印（５））。なお、記録媒体２００は、ＤＶＤ−ＲＷである。そのため、欠陥領域登録回路１１５は、欠陥領域として、点Ｂから点Ｃまでの領域を欠陥登録する必要がない。この場合、点Ｂから点Ｃまでのテスト記録領域は、ユーザデータが上書きされる。
【０１０７】
図６は、図３を参照して説明した本発明の参考例に係るアクセス処理手順の他の一例を示すフローチャートである。図７は、図６に示すアクセス処理手順の他の一例におけるアクセス順序を示す模式図である。
【０１０８】
以下、図１、図２、図６および図７を参照して本発明の参考例のアクセス処理手順の他の一例をステップごとに説明する。なお、図６において、図３に示される手順と同一の手順には同一の参照符号を付し、その説明を省略する。
【０１０９】
ステップ７１０：ユーザデータの記録中に（矢印（１））トリガー検出回路１１６によってトリガーが検出されると（点Ｂ）、システム制御回路１０２は、数トラック分だけ内周位置にある点Ａまで、光ヘッド１０６をスキップさせる（矢印（２））。
【０１１０】
ステップ７２０：再生系回路部１３０は、システム制御回路１０２の指示に従って、点Ａから点Ｂまでに記録されているユーザデータを読み取る（矢印（３））。そして、システム制御回路１０２は、点Ａから点Ｂまでに記録されているユーザデータの記録状態が良好であるか否かを判定する。
【０１１１】
検出回路部１４０は、ユーザデータの記録状態を検出する。具体的には、検出回路部１４０は、読み取られたユーザデータの記録状態の良否を判定する信号評価指標を検出する。システム制御回路１０２は、アシンメトリ検出回路１１１によって検出されたアシンメトリ値が所望の値であるか否かによって、読み取られたユーザデータの記録状態の良否を
判定する。すなわち、システム制御回路１０２は、アシンメトリ検出回路１１１によって検出されたアシンメトリ値が所定の範囲内であるか否かを判断する。そして、アシンメトリ値が所定の範囲内であると判断された場合、システム制御回路１０２は、記録状態が良好であると判定する。一方、アシンメトリ値が所定の範囲外であると判断された場合、システム制御回路１０２は、記録状態が良好でないと判定する。
【０１１２】
また、システム制御回路１０２は、ジッタ検出回路１１２によって検出されたジッタ値が所望の値であるか否かによって、読み取られたユーザデータの記録状態の良否を判定する。すなわち、システム制御回路１０２は、ジッタ検出回路１１２によって検出されたジッタ値が所定の値以下であるか否かを判断する。そして、ジッタ値が所定の値以下であると判断された場合、システム制御回路１０２は、記録状態が良好であると判定する。一方、ジッタ値が所定の値より大きいと判断された場合、システム制御回路１０２は、記録状態が良好でないと判定する。
【０１１３】
さらに、システム制御回路１０２は、Ｍ指標検出回路１１３によって検出されたＭ指標が所望の値であるか否かによって、読み取られたユーザデータの記録状態の良否を判定する。すなわち、システム制御回路１０２は、Ｍ指標検出回路１１３によって検出されたＭ指標が所定の値以下であるか否かを判断する。そして、Ｍ指標が所定の値以下であると判断された場合、システム制御回路１０２は、記録状態が良好であると判定する。一方、Ｍ指標が所定の値より大きいと判断された場合、システム制御回路１０２は、記録状態が良好でないと判定する。
【０１１４】
さらにまた、システム制御回路１０２は、ＢＥＲ検出回路１１４によって検出されたエラーレートが所望の値であるか否かによって、読み取られたユーザデータの記録状態の良否を判定する。すなわち、システム制御回路１０２は、ＢＥＲ検出回路１１４によって検出されたエラーレートが所定の値以下であるか否かを判断する。そして、エラーレートが所定の値以下であると判断された場合、システム制御回路１０２は、記録状態が良好であると判定する。一方、エラーレートが所定の値より大きいと判断された場合、システム制御回路１０２は、記録状態が良好でないと判定する。
【０１１５】
さらにまた、システム制御回路１０２は、変調度検出回路１１８によって検出された変調度が所望の値であるか否かによって、読み取られたユーザデータの記録状態の良否を判定する。すなわち、システム制御回路１０２は、変調度検出回路１１８によって検出された変調度が所定の値以下であるか否かを判断する。そして、変調度が所定の値以下であると判断された場合、システム制御回路１０２は、記録状態が良好であると判定する。一方、変調度が所定の値より大きいと判断された場合、システム制御回路１０２は、記録状態が良好でないと判定する。
【０１１６】
記録状態が良好であると判定された場合（ステップ７２０でＹＥＳ）、処理はステップ４１０に進み、記録系回路部１２０によって、点Ｂから続けてユーザデータが記録される（矢印（４））。
【０１１７】
一方、記録状態が良好でないと判定された場合（ステップ７２０でＮＯ）、処理はステップ４０８に進み、システム制御回路１０２によって、記録パワーが調整される（矢印（５））。そして、記録系回路部１２０は、調整された記録パワーを用いて点Ｃから続けてユーザデータを記録する（矢印（６））。
【０１１８】
図６および図７を参照して説明した例では、アクセスパラメータの調整をする必要があるか否かを判定する。そのため、アクセスパラメータの調整をする必要がないと判定された場合、不要な調整に時間を費やすことがなくなる。さらに、不要なアクセスパラメータ
の調整が行われないので、テスト記録した領域を欠陥領域として登録する回数が減少し、欠陥領域の不必要な増加を防ぐことができる。
【０１１９】
以上、図１〜図７を参照して、本発明の実施の形態を説明した。
【０１２０】
例えば、図２に示される実施の形態で説明した各構成要素は、ハードウェアによって実現されてもよいし、ソフトウェアによって実現されてもよいし、ハードウェアとソフトウェアとによって実現されてもよい。ハードウェアによって実現される場合でも、ソフトウェアによって実現される場合でも、ハードウェアとソフトウェアとによって実現される場合でも、本発明のアクセス処理手順が実行され得る限り、任意の手順を有し得る。
【０１２１】
例えば、本発明のアクセス装置１００には、アクセス処理を実行させるためのアクセス処理プログラムが格納されている。アクセス処理プログラムは、アクセス装置１００の出荷時に、アクセス装置１００に含まれる格納部１１７に予め格納されていてもよい。あるいは、アクセス装置１００の出荷後に、アクセス処理プログラムを格納部１１７に格納するようにしてもよい。例えば、ユーザがインターネット上の特定のウェブサイトからアクセス処理プログラムを有料または無料でダウンロードし、そのダウンロードされたプログラムをアクセス装置１００にインストールするようにしてもよい。アクセス処理プログラムがフレキシブルディスク、ＣＤ−ＲＯＭ、ＤＶＤ−ＲＯＭなどのコンピュータ読み取り可能な記録媒体に記録されている場合には、入力装置（例えば、ディスクドライブ装置）を用いてアクセス処理プログラムをアクセス装置１００にインストールするようにしてもよい。インストールされたアクセス処理プログラムは、例えば格納部１１７に格納される。
【０１２２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【０１２３】
なお、上述した具体的実施形態には以下の構成を有する発明が主に含まれている。
【０１２４】
本発明のアクセス装置は、記録媒体にアクセスするアクセス装置であって、前記記録媒体は、ユーザの指示に基づく記録及び再生が可能なユーザデータを記録するためのユーザ領域を含み、所定のテスト条件に基づくテストデータを前記ユーザ領域に記録する記録手段と、前記記録手段によって前記ユーザ領域に記録された前記テストデータを読み取る読み取り手段と、前記読み取り手段によって読み取られた前記テストデータを参照することによって、前記記録媒体にアクセスするためのアクセスパラメータを調整する調整手段とを備える。
【０１２５】
この構成によれば、記録媒体は、ユーザの指示に基づく記録及び再生が可能なユーザデータを記録するためのユーザ領域を含んでいる。そして、所定のテスト条件に基づくテストデータがユーザ領域に記録され、ユーザ領域に記録されたテストデータが読み取られる。続いて、読み取られたテストデータが参照されることによって、記録媒体にアクセスするためのアクセスパラメータが調整される。
【０１２６】
したがって、ユーザ領域よりも内周に割り付けられているリードイン領域又はユーザ領域よりも外周に割り付けられているリードアウト領域にテストデータを記録して再生する
ことなくアクセスパラメータを調整することができ、テストデータの記録及び再生のための光ヘッドのシーク時間を短縮することができる。
【０１２７】
また、上記のアクセス装置において、前記アクセスパラメータの調整を開始するためのトリガーを検出する検出手段をさらに備え、前記記録手段は、前記検出手段によってトリガーが検出された場合、所定のテスト条件に基づくテストデータを前記ユーザ領域に記録してもよい。この場合、所定のトリガーを検出することにより、アクセスパラメータの調整を開始することができる。
【０１２８】
また、上記のアクセス装置において、前記検出手段は、前記アクセス装置の温度変化に基づいて、前記トリガーを検出してもよい。この場合、前記アクセス装置の温度変化をトリガーとしてアクセスパラメータの調整を開始することができる。
【０１２９】
また、上記のアクセス装置において、ユーザデータを前記ユーザ領域に記録するユーザデータ記録手段をさらに備え、前記検出手段は、前記ユーザデータ記録手段によって記録されたユーザデータの位置に基づいて、前記トリガーを検出してもよい。この場合、ユーザデータの記録位置をトリガーとしてアクセスパラメータの調整を開始することができる。
【０１３０】
また、上記のアクセス装置において、前記検出手段は、外部装置によって発行されるＷｒｉｔｅコマンドが入力された場合、前記トリガーを検出してもよい。この場合、外部装置によって発行されるＷｒｉｔｅコマンドをトリガーとしてアクセスパラメータの調整を開始することができる。
【０１３１】
また、上記のアクセス装置において、ユーザデータを前記ユーザ領域に記録するよう動作するユーザデータ記録手段をさらに備え、前記検出手段は、前記ユーザデータ記録手段の動作時間に基づいて、前記トリガーを検出してもよい。この場合、ユーザデータを記録するための動作時間をトリガーとしてアクセスパラメータの調整を開始することができる。
【０１３２】
また、上記のアクセス装置において、前記ユーザ領域における前記テストデータが記録されたテスト記録領域を登録する登録手段をさらに備えることが好ましい。この構成によれば、ユーザ領域におけるテストデータが記録されたテスト記録領域が登録されるので、テスト記録領域を管理することができる。
【０１３３】
また、上記のアクセス装置において、前記登録手段は、前記テスト記録領域を欠陥領域として登録することが好ましい。この構成によれば、テスト記録領域が欠陥領域として登録されるので、テストデータが記録されたテスト記録領域を再生することなく、ユーザデータを連続して再生することができる。
【０１３４】
また、上記のアクセス装置において、前記記録手段は、前記ユーザ領域におけるユーザデータの記録位置から所定の距離だけ記録媒体の半径方向に離れた位置に前記テストデータを記録することが好ましい。
【０１３５】
この構成によれば、ユーザ領域におけるユーザデータの記録位置から所定の距離だけ記録媒体の半径方向に離れた位置にテストデータが記録されるので、サーボ機構に不具合が生じてテストデータの記録位置がずれたとしても、既に記録されているユーザデータが破壊されることを防ぐことができる。
【０１３６】
また、上記のアクセス装置において、前記記録手段は、前記ユーザ領域におけるユーザ
データの記録終了位置から所定の距離だけ記録媒体の半径方向に離れた位置から前記テストデータの記録を開始し、前記テストデータの記録終了位置から所定の距離だけ記録媒体の半径方向に離れた位置からユーザデータの記録を開始することが好ましい。
【０１３７】
この構成によれば、ユーザ領域におけるユーザデータの記録終了位置から所定の距離だけ記録媒体の半径方向に離れた位置からテストデータの記録が開始され、テストデータの記録終了位置から所定の距離だけ記録媒体の半径方向に離れた位置からユーザデータの記録が開始される。したがって、サーボ機構に不具合が生じてテストデータの記録位置がずれたとしても、既に記録されているユーザデータが破壊されることを防ぐことができる。また、ユーザデータの記録位置がずれたとしても、テストデータが記録されているテスト記録領域にアクセスすることなく次のユーザデータを記録することができる。
【０１３８】
また、上記のアクセス装置において、前記ユーザ領域における前記テストデータが記録されたテスト記録領域と、ユーザデータの記録終了位置から前記テストデータの記録開始位置までの領域と、前記テストデータの記録終了位置からユーザデータの記録開始位置までの領域とを欠陥領域として登録する登録手段をさらに備えることが好ましい。
【０１３９】
この構成によれば、ユーザ領域におけるテストデータが記録されたテスト記録領域と、ユーザデータの記録終了位置からテストデータの記録開始位置までの領域と、テストデータの記録終了位置からユーザデータの記録開始位置までの領域とが欠陥領域として登録される。したがって、テストデータが記録されたテスト記録領域と、ユーザデータの記録終了位置からテストデータの記録開始位置までの領域と、テストデータの記録終了位置からユーザデータの記録開始位置までの領域とを再生することなく、ユーザデータを連続して再生することができる。
【０１４０】
また、上記のアクセス装置において、前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記テストデータの記録開始位置までユーザデータを記録し、前記テストデータの記録開始位置から前記テストデータの記録終了位置まで移動し、前記テストデータの記録終了位置からユーザデータの記録を開始することが好ましい。
【０１４１】
この構成によれば、ユーザ領域におけるユーザデータの記録終了位置から所定の距離だけ記録媒体の半径方向に離れた位置からテストデータの記録が開始され、テストデータの記録終了位置からユーザデータの記録終了位置まで戻り、テストデータの記録開始位置までユーザデータが記録され、テストデータの記録開始位置からテストデータの記録終了位置まで移動し、テストデータの記録終了位置からユーザデータの記録が開始される。したがって、テストデータが記録されたテスト記録領域以外の領域にユーザデータを記録することができ、ユーザ領域を無駄なく利用することができる。
【０１４２】
また、上記のアクセス装置において、前記記録手段は、前記ユーザ領域におけるユーザデータの記録終了位置から所定の距離だけ記録媒体の半径方向に離れた位置から前記テストデータの記録を開始し、前記テストデータの記録終了位置から前記ユーザデータの記録終了位置まで戻り、前記ユーザデータの記録終了位置からユーザデータの記録を開始することが好ましい。
【０１４３】
この構成によれば、ユーザ領域におけるユーザデータの記録終了位置から所定の距離だけ記録媒体の半径方向に離れた位置からテストデータの記録が開始され、テストデータの記録終了位置からユーザデータの記録終了位置まで戻り、ユーザデータの記録終了位置からユーザデータの記録が開始される。したがって、テストデータが記録されたテスト記録
領域にユーザデータが上書きされるので、ユーザ領域を無駄なく利用することができる。
【０１４４】
また、上記のアクセス装置において、前記読み取り手段は、前記ユーザ領域に既に記録されているユーザデータを読み取り、前記読み取り手段によって読み取られた前記ユーザデータの記録状態を検出する記録状態検出手段をさらに備え、前記記録手段は、前記記録状態検出手段によって検出された記録状態に基づいて、前記テストデータを前記ユーザ領域に記録することが好ましい。
【０１４５】
この構成によれば、ユーザ領域に既に記録されているユーザデータが読み取られ、読み取られたユーザデータの記録状態が検出される。そして、検出された記録状態に基づいて、テストデータがユーザ領域に記録される。したがって、ユーザデータの記録状態に応じてテストデータを記録するか否かを判定することができ、不要なテストデータの記録を防止することができる。
【０１４６】
また、上記のアクセス装置において、前記記録状態検出手段は、前記読み取り手段によって読み取られた前記ユーザデータのジッタ値、アシンメトリ値、エラーレートおよびＭ指標のうちの少なくとも１つを検出することが好ましい。
【０１４７】
この構成によれば、ユーザデータのジッタ値、アシンメトリ値、エラーレートおよびＭ指標のうちの少なくとも１つの記録状態が検出され、検出された記録状態に基づいて、テストデータがユーザ領域に記録される。したがって、ユーザデータのジッタ値、アシンメトリ値、エラーレートおよびＭ指標のうちの少なくとも１つに応じてテストデータを記録するか否かを判定することができ、不要なテストデータの記録を防止することができる。
【０１４８】
また、上記のアクセス装置において、前記記録手段は、前記ユーザデータに隣接したトラックに前記テストデータを記録することが好ましい。この構成によれば、ユーザデータに隣接したトラックにテストデータが記録されるので、ユーザデータの記録位置から所定の距離だけ離れた位置にテストデータを記録する場合に比べて、ユーザ領域を無駄なく利用することができる。
【０１４９】
本発明のアクセス方法は、記録媒体にアクセスするためのアクセス方法であって、前記記録媒体は、ユーザの指示に基づく記録及び再生が可能なユーザデータを記録するためのユーザ領域を含み、所定のテスト条件に基づくテストデータを前記ユーザ領域に記録する記録ステップと、前記記録ステップにおいて前記ユーザ領域に記録された前記テストデータを読み取る読み取りステップと、前記読み取りステップにおいて読み取られた前記テストデータを参照することによって、前記記録媒体にアクセスするためのアクセスパラメータを調整する調整ステップとを含む。
【０１５０】
この構成によれば、記録媒体は、ユーザの指示に基づく記録及び再生が可能なユーザデータを記録するためのユーザ領域を含んでいる。そして、所定のテスト条件に基づくテストデータがユーザ領域に記録され、ユーザ領域に記録されたテストデータが読み取られる。続いて、読み取られたテストデータが参照されることによって、記録媒体にアクセスするためのアクセスパラメータが調整される。
【０１５１】
したがって、ユーザ領域よりも内周に割り付けられているリードイン領域又はユーザ領域よりも外周に割り付けられているリードアウト領域にテストデータを記録して再生することなくアクセスパラメータを調整することができ、テストデータの記録及び再生のための光ヘッドのシーク時間を短縮することができる。
【０１５２】
本発明のアクセスプログラムは、記録媒体にアクセスするためのアクセスプログラムで
あって、前記記録媒体は、ユーザの指示に基づく記録及び再生が可能なユーザデータを記録するためのユーザ領域を含み、データを記録媒体に記録する記録手段と、データを記録媒体から読み取る読み取り手段とを備えるアクセス装置を、所定のテスト条件に基づくテストデータを前記ユーザ領域に記録するように前記記録手段に指示する記録指示手段と、前記記録手段によって前記ユーザ領域に記録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段として機能させる。
【０１５３】
この構成によれば、記録媒体は、ユーザの指示に基づく記録及び再生が可能なユーザデータを記録するためのユーザ領域を含んでいる。そして、所定のテスト条件に基づくテストデータをユーザ領域に記録するように記録手段に指示され、記録手段によってユーザ領域に記録されたテストデータを読み取るように読み取り手段に指示される。続いて、読み取り手段によって読み取られたテストデータが参照されることによって、記録媒体にアクセスするためのアクセスパラメータが調整される。
【０１５４】
したがって、ユーザ領域よりも内周に割り付けられているリードイン領域又はユーザ領域よりも外周に割り付けられているリードアウト領域にテストデータを記録して再生することなくアクセスパラメータを調整することができ、テストデータの記録及び再生のための光ヘッドのシーク時間を短縮することができる。
【０１５５】
本発明の制御装置は、データを記録媒体に記録する記録手段と、データを記録媒体から読み取る読み取り手段とを備えるアクセス装置を制御する制御装置であって、前記記録媒体は、ユーザの指示に基づく記録及び再生が可能なユーザデータを記録するためのユーザ領域を含み、所定のテスト条件に基づくテストデータを前記ユーザ領域に記録するように前記記録手段に指示する記録指示手段と、前記記録手段によって前記ユーザ領域に記録された前記テストデータを読み取るように前記読み取り手段に指示する読み取り指示手段と、前記読み取り手段によって読み取られた前記テストデータを参照することによって、前記記録媒体にアクセスするためのアクセスパラメータを調整する調整手段とを備える。
【０１５６】
この構成によれば、記録媒体は、ユーザの指示に基づく記録及び再生が可能なユーザデータを記録するためのユーザ領域を含んでいる。そして、所定のテスト条件に基づくテストデータをユーザ領域に記録するように記録手段に指示され、記録手段によってユーザ領域に記録されたテストデータを読み取るように読み取り手段に指示される。続いて、読み取り手段によって読み取られたテストデータが参照されることによって、記録媒体にアクセスするためのアクセスパラメータが調整される。
【０１５７】
したがって、ユーザ領域よりも内周に割り付けられているリードイン領域又はユーザ領域よりも外周に割り付けられているリードアウト領域にテストデータを記録して再生することなくアクセスパラメータを調整することができ、テストデータの記録及び再生のための光ヘッドのシーク時間を短縮することができる。
【産業上の利用可能性】
【０１５８】
本発明のアクセス装置、アクセス方法、アクセスプログラム及び制御装置は、テストデータの記録及び再生のための光ヘッドのシーク時間を短縮することができ、ユーザがデータを記録しえるように構成されているユーザ領域を含む記録媒体にアクセスするアクセス装置、アクセス方法、アクセスプログラム及び制御装置等として有用である。
【図面の簡単な説明】
【０１５９】
【図１】本発明の実施の形態で用いられる記録媒体の構造を示す図である。
【図２】本発明の実施の形態のアクセス装置の構成を示す図である。
【図３】本発明の参考例のアクセス処理手順の一例を示すフローチャートである。
【図４】記録パワーの調整手順を示すフローチャートである。
【図５】アクセス順序の種々の例を示す図である。
【図６】本発明の参考例のアクセス処理手順の他の一例を示すフローチャートである。
【図７】本発明の参考例のアクセス処理手順の他の一例におけるアクセス順序を示す図である。
【図１】
0004611297.tif 000002
【図２】
0004611297.tif 000003
【図３】
0004611297.tif 000004
【図４】
0004611297.tif 000005
【図５】
0004611297.tif 000006
【図６】
0004611297.tif 000007
【図７】
0004611297.tif 000008